(57)【特許請求の範囲】
【請求項１】
情報コード読み取り装置により領域が確定された後に領域内の情報が読み取られる情報コードと、
該情報コードの前記領域の確定を行うための外縁部に付加され、当該情報コードの領域の確定を不可能にする当該情報コードの印刷色と同程度の反射率の印刷部と、を担持した情報コード担体であって、
前記情報コードの印刷された情報コード担体が、前記印刷部の印刷された担体から剥離可能な接着シールからなり、
前記情報コードと前記印刷部とを分離可能とし、該印刷部を分離することで前記情報コード読み取り装置により前記情報コードの領域の確定が可能となるようにしたことを特徴とする情報コード担体。
【請求項２】
前記情報コードは位置決めマークを備える二次元コードであり、
前記印刷部は二次元コードの位置決めマークのマージン部に付加されることを特徴とする請求項１の情報コード担体。
【請求項３】
バーコードからなる情報コードと、
該バーコードのスタートマーク及びエンドマークに付加されバーコードの読み取りを不可能にする当該バーコードの印刷色と同程度の反射率の印刷部と、を担持した情報コード担体であって、
前記バーコードと前記印刷部とを分離可能とし、該印刷部を分離することで前記バーコードの読み取りが可能となるようにしたことを特徴とする情報コード担体。
【請求項４】
前記印刷部が、前記情報コードの印刷された情報コード担体から剥離可能な接着シールに印刷されてなることを特徴とする請求項１〜請求項３のいずれか１の情報コード担体。
【請求項５】
情報コード読み取り装置により領域が確定された後に領域内の情報が読み取られる情報コードと、該情報コードの前記領域の確定を行うための外縁部に付加され、当該情報コードの領域の確定を不可能にする当該情報コードの印刷色と同程度の反射率の印刷部と、が印刷された情報コード担体であって、
前記情報コードの領域に相当する開口を備える開口担体を、前記情報コードに重ねることで該印刷部を隠して前記情報コード読み取り装置により前記情報コードの領域の確定が可能となるようにしたことを特徴とする情報コード担体。
【請求項６】
前記情報コードと印刷部とが共に情報コード担体に印刷されてなり、
該情報コードを印字部から分離するための切取指示が設けられていることを特徴とする請求項３の情報コード担体。
【請求項７】
前記二次元コードを複数備え、
複数の二次元コードの内の少なくとも１つの二次元コードの位置決めマークの前記マージン部に前記印刷部を付加したことを特徴とする請求項２の情報コード担体。
【請求項８】
データをセル化し、セルの有る無しで二進情報を表示する情報コードと、前記二次元情報コードのセルの無い部位に設けられる印刷部とが、接着面側に印刷された接着シールから成る情報コード担体であって、
情報コード担体を構成する接着シールが被接着面から剥離されると、前記情報コードが当該被接着面側に残り、前記印刷部が接着シール側に残るように構成されたことを特徴とする情報コード担体。
【発明の詳細な説明】
【技術分野】
【０００１】
本発明は、バーコード等の一次元情報コード、ＱＲコード（登録商標）等の二次元情報コードを担持する情報コード担体に関するものである。
【背景技術】
【０００２】
商品の販促のため、ＱＲコード等の情報コードを用いて種々のサービスを提供することが行われている。例えば、何らかの景品や特典を付与するようなサービス情報をＱＲコードに付与しておき、そのＱＲコードを携帯電話のカメラで読み取って、そのＱＲコードの情報データをネットワークを介して指示された送信先に送ることによって、懸賞の応募、特典ポイントの加算などを行うことができる。
【０００３】
このような方法でＱＲコードを用いる場合には、商品の精算前に情報コードを読み取っても応募できるため、商品の購入前に第３者によってＱＲコードが携帯電話等によって盗み見られることを防止しておかなければならない。かかる課題に対応するため特許文献１に、第１のラベルと第２のラベルとを張り合わせた重層ラベルをカンコーヒー等の容器に貼る技術が開示されている。当該技術では、第２のラベルの表面にバーコードを印字することで、重層ラベルの表面からバーコードを読めるようにし、一方で、第１のラベルにＱＲコードを印字し、第２のラベルを剥がさないと第１のラベルのＱＲコードが読めないようにしている。また、特許文献２には、ＱＲコード等の二次元コードの読み取り手順が開示されている。
【特許文献１】特開２００４−１９８６１６号公報
【特許文献２】特開平７−２５４０３７号公報
【発明の開示】
【発明が解決しようとする課題】
【０００４】
しかしながら、特許文献１の技術では、二次元コードを第１のラベルに印刷した上に、第２のラベルを貼り付けた２層ラベルを作成しなければならなず、手間が掛かる。更に、第２のラベルを剥がすことでＱＲコードが読めるようになること、即ち、ＱＲコードが読み出せるようになるとのメッセージを付加させる必要がある。また、商品に予め広い貼り付け用のスペースが必要なため、商品デザインの自由度が制約されるという課題があった。また、懸賞等のキャンペーン期間のみ、商品やラベル等の作成のために別のデザイン、別の基材を準備しなければならないといった煩雑さもある。
【０００５】
本発明は、上述した課題を解決するためになされたものであり、その目的とするところは、外部から視認可能な情報コードを読み取り不可能にでき、この情報コードを読み取り可能に変えることができる情報コード担体を提供することにある。
【課題を解決するための手段】
【０００６】
上記目的を達成するため、請求項１の発明は、情報コード読み取り装置により領域が確定された後に領域内の情報が読み取られる情報コード１０と、
該情報コード１０の前記領域の確定を行うための外縁部に付加され、当該情報コードの領域の確定を不可能にする当該情報コードの印刷色と同程度の反射率の印刷部２４と、を担持した情報コード担体であって、
前記情報コード１０の印刷された情報コード担体が、前記印刷部２４の印刷された担体から剥離可能な接着シール２２からなり、
前記情報コード１０と前記印刷部２４とを分離可能とし、該印刷部２４を分離することで前記情報コード読み取り装置により前記情報コード１０の領域の確定が可能となるようにしたことを技術的特徴とする。
【０００７】
請求項５は、情報コード読み取り装置により領域が確定された後に領域内の情報が読み取られる情報コード１０と、該情報コード１０の前記領域の確定を行うための外縁部に付加され、当該情報コード１０の領域の確定を不可能にする当該情報コード１０の印刷色と同程度の反射率の印刷部２４と、が印刷された情報コード担体であって、
前記情報コード１０の領域に相当する開口３２を備える開口担体３０を、前記情報コード１０に重ねることで該印刷部２４を隠して前記情報コード読み取り装置により前記情報コード１０の領域の確定が可能となるようにしたことを技術的特徴とする。
【０００８】
請求項８は、データをセル化し、セルの有る無しで二進情報を表示する情報コード１０と、前記二次元情報コード１０のセルの無い部位に設けられる印刷部３６とが、接着面側に印刷された接着シール２２から成る情報コード担体であって、
情報コード担体を構成する接着シール２２が被接着面２０から剥離されると、前記情報コード１０が当該被接着面２０側に残り、前記印刷部３６が接着シール２２側に残るように構成されたことを技術的特徴とする。
【０００９】
請求項１の情報コード担体では、情報コード１０の領域の確定を行うための外縁部に、情報コード１０の領域の確定を不可能にする当該情報コード１０の印刷色と同程度の反射率の印刷部２４が設けられている。この状態で、情報コード１０の読み取りは不可能である。そして、情報コード１０と印刷部２４とを分離可能とし、該印刷部２４を分離することで、情報コード読み取り装置により情報コード１０の領域の確定が可能となる。このため、外部から視認可能でありながら、印刷部２４を付加することで読み取り不可能にしておいた情報コード１０を、印刷部２４を分離することで読み取り可能に変えることができる。
また、請求項１の情報コード担体では、情報コード１０が接着シール２２に印刷されてなり、印刷部２４は当該接着シール２２の剥離可能な担体に印刷されている。このため、情報コード１０の印刷された接着シール２２を、担体の印刷部２４上に貼り付けることで、外部から視認可能でありながら、情報コード１０を読み取り不可能な状態にしておける。そして、接着シール２２を印刷部２４の印刷された担体から剥離することで、情報コード１０を読み取り可能に変えることができる。
【００１０】
請求項２の情報コード担体では、二次元コード１０の位置決めマーク１２のマージン部に印刷部２４を付加することで、二次元コード１０の領域の確定（切り出し）を不可能にする。そして、該印刷部２４を分離することで、情報コード読み取り装置により二次元コード１０の領域の確定が可能となる。このため、外部から視認可能でありながら、印刷部２４を付加することで読み取り不可能にしておいた二次元コード１０を、印刷部２４を分離することで読み取り可能に変えることができる。
【００１１】
請求項３の情報コード担体では、バーコード４０のスタートマーク４０Ｓ及びエンドマーク４０Ｅに印刷部４２を付加することで、バーコード４０の読み出しを不可能にする。そして、該印刷部４２を分離することで、情報コード読み取り装置によりバーコード４０の読み取りが可能となる。このため、外部から視認可能でありながら、印刷部４２を付加することで読み取り不可能にしておいたバーコード４０を、印刷部４２を分離することで読み取り可能に変えることができる。
【００１２】
請求項４の情報コード担体では、印刷部２４が、情報コード１０の印刷された情報コード担体から剥離可能な接着シール２２に印刷されてなる。このため、印刷部２４を構成する接着シール２２が貼られることで、外部から視認可能でありながら、読み取り不可能な状態にしておいた情報コード１０を、印刷部２４を構成する接着シール２２を剥離することで、読み取り可能に変えることができる。
【００１４】
請求項５の情報コード担体では、情報コード１０と印刷部２４とが共に情報コード担体２０に印刷されている。このため、外部から視認可能でありながら、情報コード１０を読み取り不可能な状態にしておける。そして、開口担体３０を情報コード１０に重ねることで該印刷部２４を隠して、開口３２越しに情報コード１０のみを露出させることで、情報コード読み取り装置により情報コード１０の領域の確定が可能となる。このため、外部から視認可能でありながら、印刷部２４を付加することで読み取り不可能にしておいた情報コード１０を、開口担体を重ねることで読み取り可能に変えることができる。
【００１５】
請求項６の情報コード担体では、情報コード１０と印刷部２４、２４Ｓとが共に情報コード担体に印刷されている。このため、外部から視認可能でありながら、情報コード１０を読み取り不可能な状態にしておける。そして、情報コード１０を切取指示２８Ｌ、２８Ｄ、２４Ｓに従い切断することで、印刷部２４、２４Ｓから分離させて情報コード１０を読み取り可能に変えることができる。請求項６では、１枚の担体に情報コード１０と印刷部２４とが印刷されているため、１枚の担体２０でよく、同時に印刷できるので廉価に構成することができる。
【００１６】
請求項７の情報コード担体では、二次元コード１０Ａ、１０Ｂ、１０Ｃを複数備える。二次元コード１０が複数の二次元コード１０Ａ、１０Ｂ、１０Ｃから構成される際には、全ての二次元コード１０Ａ、１０Ｂ、１０Ｃの切り出しができないと、全体の二次元コード１０の読み出しができないため、複数の二次元コード１０Ａ、１０Ｂ、１０Ｃの内の少なくとも１つの二次元コード１０Ｃの位置決めマーク１２のマージン部に印刷部２４を付加することで、当該二次元コード１０Ｃの領域の確定（切り出し）を不可能にし、全体の二次元コード１０の読み出しを出来なくする。そして、該印刷部２４を分離することで、当該二次元コード１０の領域の確定が可能となる。このため、外部から視認可能でありながら、少なくとも一つの二次元コード１０Ｃに印刷部２４を付加することで全体として読み取り不可能にしておいた二次元コード１０を、印刷部２４を分離することで読み取り可能に変えることができる。
【００１７】
請求項８の情報コード担体では、情報コード担体が、情報コード１０と印刷部３６とが接着面側に印刷された接着シール２２から成る。そして、接着シール２２が被接着面から離されると、情報コード１０のみが当該被接着面２０側に残るため、情報コード読み取り装置で読みとれる。このため、印刷部３６を付加することで読み取り不可能にしておいた情報コード１０を、読み取り可能に変えることができる。一方、接着シール２２が被接着面２０から一旦離されると、例え、接着シール２２を再び貼り付けても、被接着面２０側に残された情報コード１０のセル無しの部位と、接着シール２２に印刷された当該セル無しの部位から成る印刷部３６とを完全に一致させることができず、元の状態に戻すことができない。このため、接着シール２２が剥がされたか否かが判別できる。
【発明を実施するための最良の形態】
【００１８】
[第１実施形態]
以下本発明の第１実施形態に係る情報コード担体について、図１を参照して説明する。
図１（Ａ）は、例えば液体洗剤の樹脂製容器に印刷されたＱＲコード１０を示している。樹脂製容器を構成する基材２０に付加されたＱＲコードでは、３個の位置決めマーク１２と、１個の頂点検出用セル１４で領域が確定し、その中側はデータ領域１４として、二進情報を表示するセル１８が配置されている。
【００１９】
図１（Ｂ）は、該ＱＲコードの読み取りを不可能にする接着シールを表している。透明樹脂から成る接着シール２２には、ＱＲコード１０と同じ大きさで矩形の透明部２６と、該透明部２６の回りのＱＲコードのマージンと同等の大きさを持つ矩形の枠部（印刷部）２４とが設けられている。該枠部２４は、ＱＲコード１０と同じ印刷インク、もしくは、当該ＱＲコードの印刷インクと同程度の反射率の印刷インクにより印刷されている。
【００２０】
図１（Ｃ）は、図１（Ａ）に示すＱＲコード上に図１（Ｂ）に示す接着シール２２が張られた状態を示している。ＱＲコード１０の外周のマージン（余白）が、接着シール２２の枠部２４により隠され、ＱＲコード１０の外縁が不明となって、ＱＲコード１０の切り出し（領域の確定）、読み取りが不可能になっている。ここで、接着シール２２を剥離することで、ＱＲコード１０は図１（Ａ）に示す状態に戻り、情報の読み取りが可能となる。
【００２１】
ここで、ＱＲコードの読み取りの手順について図８、図９を参照して説明する。
図１（Ａ）を参照して上述したＱＲコード１０は、セル数が縦横同数（２１セル×２１セル）の正方形状に配置されている。各セルは、光学的に異なった２種類のセルから選ばれており、図および説明上では白（明）・黒（暗）で区別して表す。位置決めマーク１２は、二次元コード１の４つの頂点の内、３つに配置されている。位置決めマーク１２の明暗配置は、図８（Ａ）に示すように黒部からなる正方形１２ａ内の中心に白部からなる縮小した正方形１２ｂが形成され、その内の中心に黒部からなる更に縮小した正方形１２ｃが形成されているパターンである。
【００２２】
この位置決めマーク１２をスキャンした場合の明暗検出を図８（Ａ）中に示す。位置決めマーク１２の中心を代表的な角度で横切る走査線（ａ），（ｂ），（ｃ）での明暗検出パターンは、図８（Ｂ）に示すごとく、すべて同じ周波数成分比を持つ構造になっている。即ち、位置決めマーク１２の中心を横切るそれぞれの走査線（ａ），（ｂ），（ｃ）の周波数成分比は暗：明：暗：明：暗＝１：１：３：１：１となっている。勿論、走査線（ａ），（ｂ），（ｃ）の中間の角度の走査線においても比率は１：１：３：１：１である。
【００２３】
このことにより、ＱＲコードがいかなる方向に回転していても、一定方向の走査処理のみで位置決めマーク１２の持つ特定周波数成分比を検出することができる。このため走査方向を繰り返し何度も変更して基準となる所定のパターンを検出する必要がない。したがって、位置決めマーク１２の中心位置が容易に早期に判明するので、ＱＲコード１０の位置が迅速に特定でき、その後の処理も早期に開始できる。
【００２４】
次に、図９のフローチャートを参照し、読み取り装置によるＱＲコードの切り出し（領域の確定）取り処理について説明する。まず、読み取り装置のＣＣＤ側から読み込まれた画像信号の２値化がなされる（Ｓ１２）。この２値化された画像がハード処理にて順次メモリに格納される（Ｓ１４）。これと並列のハード処理にてこの２値画像から、位置決めマーク１２の位置座標が検出される（Ｓ１６）。
【００２５】
次に位置決めマーク１２が３個以上見つけられたか否かが判定される（Ｓ１８）。この場合は図１と同じ位置決めマーク１２が３個のＱＲコード１０の検出であることから、３個存在しなければ次の処理に移れない。したがってＳ１２の処理に戻り、再度画像の読み直しをすることになる。即ち、図１（Ｃ）を参照して上述したＱＲコード上に図１（Ｂ）に示す接着シール２２が張られた状態では、位置決めマーク１２を探せず、ＱＲコードの切り出しはできなくなる。
【００２６】
一方、図１（Ａ）に示す接着シール２２が剥がされた状態では、位置決めマーク１２を探すことができる（Ｓ１８：Ｙｅｓ）。この場合、位置決めマーク１２の存在しないもう一つの頂点を計算で求める（Ｓ２０）。次にその該当する個所に頂点検出用セル１４が存在するか否かを判定する（Ｓ２２）。Ｓ２２にて頂点検出用セル１４が検出されれば（Ｓ２２：Ｙｅｓ）、ＱＲコードの領域の確定が完了する。この後、図１（Ａ）を参照して上述したデータ領域１４内のセル１８から情報の読み出しを開始する。
【００２７】
第１実施形態の情報コード担体では、ＱＲコード１０の位置決めマーク１２のマージン部に枠部（印刷部）２４を付加することで、ＱＲコードの領域の確定（切り出し）を不可能にする。枠部（印刷部）２４が、ＱＲコードの印刷された基材２０から剥離可能な接着シール２２に印刷されてなる。このため、枠部（印刷部）２４を構成する接着シール２２が貼られることで、ＱＲコードらしきものの存在を外部から視認可能でありながら、読み取り不可能な状態にしておける。そして、接着シール２２を剥離することで、ＱＲコード１０を読み取り可能に変えることができる。
【００２８】
特に、基材２０にＱＲコードを基材（樹脂製容器）２０へ直接印刷するため、ＱＲコード１０を設けるのに手間が掛からない。更に、接着シール２２が貼られた状態で、ＱＲコードが視認可能であるため、ＱＲコード１０が読み出せるようになるとのメッセージを付加させる必要がない。更に、ＱＲコード１０に枠部２４を付加するだけなので必要とするスペース小さく、商品に付加させ易く、商品デザインの自由度が制約されることがない。このため、懸賞等のキャンペーン期間のみ、商品やラベル等の作成に別のデザイン、別の基材の準備を行うといった煩雑さもない。
【００２９】
[第２実施形態]
以下本発明の第２実施形態に係る情報コード担体について、図２を参照して説明する。図１を参照して上述した第１実施形態では、基材２０側にＱＲコード１０が印刷され、接着シール２２側にＱＲコードのマージンを隠す枠部２４が設けられた。これに対して、第２実施形態では、接着シール２２側にＱＲコード１０が設けられ、基材２０側に枠部２４が設けられる。
【００３０】
図２（Ａ）は、透明樹脂からなる接着シール２２に印刷されたＱＲコード１０を示している。図２（Ｂ）は、基材２０側に設けられた枠部２４を示している。四角形の枠部２４の中央には、ＱＲコードと同じ大きさの白抜き（非印刷部）２６が設けられている。図２（Ｃ）は、図２（Ｂ）に示す枠部２４上にＱＲコード１０を印刷した図２（Ａ）に示す接着シール２２が張られた状態を示している。ＱＲコード１０の外周のマージン（余白）が、接着シール２２の枠部２４により隠され、ＱＲコード１０の外縁が不明となって、ＱＲコード１０の切り出し（領域の確定）、読み取りが不可能になっている。ここで、接着シール２２を剥離し、例えば、白紙上に置くことで、ＱＲコード１０は図２（Ａ）に示すように情報の読み取りが可能となる。
【００３１】
第２実施形態の情報コード担体では、ＱＲコード１０が接着シール２２に印刷されてなり、枠部（印刷部）２４は当該接着シール２２の剥離可能な基材２０に印刷されている。このため、ＱＲコード１０の印刷された接着シール２２を、基材２０の枠部２４印刷部上に貼り付けることで、外部から視認可能でありながら、ＱＲコード１０を読み取り不可能な状態にしておける。そして、接着シール２２を枠部（印刷部）２４の印刷された基材２０から剥離することで、ＱＲコード１０を読み取り可能に変えることができる。
【００３２】
[第３実施形態]
以下本発明の第３実施形態に係る情報コード担体について、図３を参照して説明する。図１、図２を参照して上述した第１、第２実施形態では、ＱＲコード１０と枠部２４とが別々に印刷された。これに対して、第３実施形態では、基材２０にＱＲコード１０と枠部２４とが一緒に印刷されている。
【００３３】
図３（Ａ）は、枠部２４と同時に印刷されたＱＲコード１０を示している。枠部２４内に印刷されることでＱＲコード１０の外縁が不明となって、ＱＲコード１０の切り出し（領域の確定）、読み取りが不可能になっている。図３（Ｂ）は、樹脂、紙からなる例えば白色の枠体３０を示している。四角形の枠体３０の中央には、ＱＲコード１０と同じ大きさの開口３２が設けられている。図３（Ｃ）は、図３（Ａ）に示す枠部２４上に図３（Ｂ）に示す枠体３０が載置された状態を示している。ＱＲコード１０の外周のマージン（余白）の代わりを白色の枠体３０が果たすことで、ＱＲコード１０の情報の読み取りが可能となる。ここで、枠体３０は、例えば、ＱＲコード１０が印刷された商品の会計の際に、店員が商品購入者に渡すことができる。
【００３４】
第３実施形態の情報コード担体では、ＱＲコード１０と枠部（印刷部）２４とが共に基材２０に印刷されている。このため、外部から視認可能でありながら、ＱＲコード１０を読み取り不可能な状態にしておける。そして、枠体（開口担体）３０をＱＲコード１０に重ねることで該枠部（印刷部）２４を隠して、開口３２越しにＱＲコード１０のみを露出させることで、読み取り装置によりＱＲコード１０の領域の確定が可能となる。このため、外部から視認可能でありながら、枠部（印刷部）２４を付加することで読み取り不可能にしておいたＱＲコード１０を、枠体（開口担体）３０を重ねることで読み取り可能に変えることができる。
【００３５】
[第４実施形態]
以下本発明の第４実施形態に係る情報コード担体について、図４を参照して説明する。図３を参照して上述した第３実施形態では、枠部２４に枠体３０を重ねた。これに対して、第４実施形態では、ＱＲコード１０から枠部２４が切り離される。
【００３６】
図４（Ａ）、図４（Ｂ）は、枠部２４と同時にＱＲコード１０が基材２０に印刷された状態を示している。枠部２４内に印刷されることでＱＲコード１０の外縁が不明となって、ＱＲコード１０の切り出し（領域の確定）、読み取りが不可能になっている。枠部２４とＱＲコード１０との間には、切取線２８Ｌ、２８Ｄが設けられ、商品購入者が紙等からなる基材２０を容易に切断できるようにしている。図４（Ｃ）は、ＱＲコード１０の外周の枠部２４Ｓが、ＱＲコードを構成するセルと同様に設けられている別例を示している。この別例でも、ＱＲコード１０の外縁が不明となって、ＱＲコード１０の切り出し（領域の確定）が不可能になっている。枠部２４とＱＲコード１０との間には、切断部位を示す三角形の指示表示３４が印刷され、商品購入者が紙等からなる基材２０を容易に切断できるようにしている。
【００３７】
第４実施形態の情報コード担体では、ＱＲコード１０と枠部（印刷部）２４とが共に紙等の基材（好適には商品の紙パッケージケース）に印刷されている。このため、外部から視認可能でありながら、ＱＲコード１０を読み取り不可能な状態にしておける。そして、ＱＲコード１０を切取指示（切断線２８Ｌ、２８Ｄ、指示表示３４）に従い切断することで、枠部（印刷部）２４から分離させてＱＲコード１０を読み取り可能に変えることができる。第４実施形態では、１枚の基材２０にＱＲコード１０と枠部（印刷部）２４とが印刷されているため、１枚の担体でよく、同時に印刷できるので廉価に構成することができる。当該別例は、デザイン上から斬新であるとの利点を備える。
【００３８】
[第５実施形態]
以下本発明の第５実施形態に係る情報コード担体について、図５を参照して説明する。上述した第１〜第４実施形態では、ＱＲコードが１個のみ設けられた。これに対して、第５実施形態では、図５に示すようにＱＲコード１０が複数のＱＲコード１０Ａ、１０Ｂ、１０Ｃからなる。
【００３９】
第５実施形態の情報コード担体では、ＱＲコード１０Ｃの位置決めマーク１２にのみ枠部２４が付加されている。ＱＲコード１０が複数のＱＲコード１０Ａ、１０Ｂ、１０Ｃから構成される際には、全てのＱＲコード１０Ａ、１０Ｂ、１０Ｃの切り出しができないと、全体のＱＲコード１０の読み出しができない。このため、図５中の例では、複数のＱＲコード１０Ａ、１０Ｂ、１０Ｃの内の１つのＱＲコード１０Ｃの位置決めマーク１２のマージン部に印刷部２４を付加することで、当該ＱＲコード１０Ｃの領域の確定（切り出し）を不可能にし、全体のＱＲコード１０の読み出しを出来なくしてある。そして、該印刷部２４を分離することで、当該ＱＲコード１０Ｃの領域の確定が可能となる。このため、外部から視認可能でありながら、少なくとも一つのＱＲコードに印刷部２４を付加することで全体として読み取り不可能にしておいたＱＲコード１０を、印刷部２４を分離することで読み取り可能に変えることができる。
【００４０】
[第６実施形態]
以下本発明の第６施形態に係る情報コード担体について、図６を参照して説明する。
第６実施形態では、情報コード担体が、ＱＲコード１０と印刷部３６とが接着面側に印刷された透明な接着シール２２から成る。ここで、印刷部３６は、ＱＲコード１０のセル無しの部位を塗りつぶすセルからなり、ＱＲコード１０と印刷部３６とは黒又は銀色で印刷されている。そして、接着シール２２が基材（被接着面）２０から離されると、ＱＲコード１０のみが当該被接着面側に残り、読み取り装置で読みとれるようになる。このため、印刷部３６を付加することで読み取り不可能にしておいたＱＲコード１０を、読み取り可能に変えることができる。
【００４１】
一方、接着シール２２が基材（被接着面）２０から一旦離されると、例え、接着シール２２を再び貼り付けても、被接着面側に残されたＱＲコード１０のセル無しの部位と、接着シール側に残された当該セル無しの部位を印刷した印刷部とを完全に一致させることができず、元の状態に戻すことができない。このため、接着シール２２が剥がされたか否かが判別できるので、コンピュータソフトウエア等のパッケージに好適に用いることができる。
【００４２】
[第７実施形態]
以下本発明の第７施形態に係る情報コード担体について、図７を参照して説明する。
第７実施形態では、情報コードがバーコード４０からなる。バーコード４０の図中左端にはスタートマーク４０Ｓが、右端にはエンドマーク４０Ｅが設けられている。図７（Ａ）に示すバーコード４０のスタートマーク４０Ｓとエンドマーク４０Ｅに、図７（Ｂ）に示すように黒色のシール４２を貼ることで当該バーコード４０の読み取りを不可能にしている。
【００４３】
第７実施形態の情報コード担体では、バーコード４０のスタートマーク４０Ｓとエンドマーク４０Ｅに黒色のシール（印刷部）４２を付加することで、バーコード４０の読み出しを不可能にする。そして、該黒色のシール４２を剥離することで、読み取り装置によりバーコード４０の読み取りが可能となる。このため、外部から視認可能でありながら、黒色のシール（印刷部）４２を付加することで読み取り不可能にしておいたバーコード４０を、黒色のシール（印刷部）４２を分離することで読み取り可能に変えることができる。
【図面の簡単な説明】
【００４４】
【図１】図１（Ａ）は、第１実施形態に係る基材に印刷されたＱＲコードを示す平面図であり、図１（Ｂ）は、該ＱＲコードの読み取りを不可能にする接着シールを表す平面図であり、図１（Ｃ）は、図１（Ａ）に示すＱＲコード上に図１（Ｂ）に示す接着シールが張られた状態を示す平面図である。
【図２】図２（Ａ）は、第２実施形態に係る接着シールに印刷されたＱＲコードを示す平面図であり、図２（Ｂ）は、基材に設けられた枠部を示す平面図であり、図２（Ｃ）は、図２（Ｂ）に示す枠部上に、ＱＲコードを印刷した図２（Ａ）に示す接着シールが張られた状態を示す平面図である。
【図３】図３（Ａ）は第３実施形態に係る枠部内にＱＲコードが印刷された状態を示す平面図であり、図３（Ｂ）は枠体の平面図であり、図３（Ｃ）は、図３（Ａ）に示す枠部上に図３（Ｂ）に示す枠体が載置された状態を示す平面図である。
【図４】図４（Ａ）、図４（Ｂ）、図４（Ｃ）は、第４実施形態に係る情報コード担体を示す平面図である。
【図５】第５実施形態に係る情報コード担体を示す平面図である。
【図６】第６実施形態に係る情報コード担体を示す説明図である。
【図７】図７（Ａ）、図７（Ｂ）は、第７実施形態に係る情報コード担体の説明図である。
【図８】図８（Ａ）は位置決めマークの走査を説明する説明図であり、図８（Ｂ）は位置決めマークの明暗検出パターンを示す波形図である。
【図９】ＱＲコードの切り出し処理を示すフローチャートである。
【符号の説明】
【００４５】
１０  ＱＲコード
１２  位置決めマーク
１４  頂点検出用セル
１６  データ領域
１８  セル
２０  基材
２２  シール
２４  枠部
２６  透明部
２８  切取線
３０  枠体
３２  開口
３４  指示表示
３６  印刷部
４０  バーコード
４０Ｓ  スタートマーク
４０Ｅ  エンドマーク
４２  シール
【図１】
0004665710.tif 000002
【図２】
0004665710.tif 000003
【図３】
0004665710.tif 000004
【図４】
0004665710.tif 000005
【図５】
0004665710.tif 000006
【図６】
0004665710.tif 000007
【図７】
0004665710.tif 000008
【図８】
0004665710.tif 000009
【図９】
0004665710.tif 000010